(57)【要約】      （修正有）【課題】製造コストと加工コストが低い半凝固食品用容器の蓋体構造を提供する。【解決手段】半凝固食品用容器の蓋体構造は、設置台４上に固定可能で、半凝固食品用容器は、第一収容設置体２と第二収容設置体３を備える。第一収容設置体２は開口部を設置し、開口部内側には欠口２２１を有する押し出し片２２をちょうど収容設置する。第一収容設置体２外縁には設置台４と位置が対応するサポート部２１を形成する。第二収容設置体３は、第一収容設置体２上に配置し、嵌合部３３とサポート部２１底側との嵌合を利用し、収容設置空間を形成する。第二収容設置体３はさらに、側部３１と施圧部３２を備える。半凝固食品は、収容設置空間中に充填される。【選択図】図４
0003156909.tif 000002
【実用新案登録請求の範囲】
【請求項１】
半凝固食品用容器の蓋体構造は、設置台上に固定可能で、半凝固食品用容器は、第一収容設置体と第二収容設置体を備え、
前記第一収容設置体中央には、スプロケットホールにより、封鎖膜を防塵用に区画し、その内側には押し出し片をちょうど収容設置し、前記封鎖膜を剥がして取り除いた後には開口部を形成し、前記押し出し片が設置する欠口は、半凝固食品の導出を提供することができ、しかも前記第一収容設置体外縁には、サポート部を形成し、前記サポート部の表面と前記設置台とは位置が対応し、一時的な固定構造を形成し、
前記第二収容設置体は、前記第一収容設置体上に配置し、嵌合部と前記第一収容設置体のサポート部底側との嵌合を利用し、収容設置空間を形成し、前記第二収容設置体はさらに、側部と施圧区を備え、半凝固食品は、前記第一、第二収容設置体が形成する収容設置空間中に充填されることを特徴とする半凝固食品用容器の蓋体構造。
【請求項２】
前記押し出し片は、係合方式により、前記第一収容設置体の欠口内側の係合部に押し入れられることを特徴とする請求項１に記載の半凝固食品用容器の蓋体構造。
【請求項３】
前記押し出し片の欠口の外観は、星型を呈することを特徴とする請求項１に記載の半凝固食品用容器の蓋体構造。
【請求項４】
前記第一収容設置体は、一体成型であることを特徴とする請求項１に記載の半凝固食品用容器の蓋体構造。
【請求項５】
前記第二収容設置体は、一体成型であることを特徴とする請求項１に記載の半凝固食品用容器の蓋体構造。
【請求項６】
前記施圧部は、圧迫器に応力を加えることができ、これにより前記第二収容設置体は、前記第一収容設置体方向へと圧縮されることを特徴とする請求項１に記載の半凝固食品用容器の蓋体構造。
【請求項７】
半凝固食品用容器の蓋体構造は、設置台上に固定可能で、半凝固食品用容器は、第一収容設置体と第二収容設置体を備え、
前記第一収容設置体は、その凸部中央に、スプロケットホールにより、封鎖膜を防塵用に区画し、前記封鎖膜を剥がして取り除いた後に開口部を形成し、前記凸部外側には押し出し蓋をちょうど収容設置可能で、前記押し出し蓋が設置する欠口は、半凝固食品の導出を提供することができ、しかも前記第一収容設置体外縁には、サポート部を形成し、前記サポート部の表面と前記設置台とは位置が対応し、一時的な固定構造を形成し、
前記第二収容設置体は、前記第一収容設置体上に配置し、嵌合部と前記第一収容設置体のサポート部底側との嵌合を利用し、収容設置空間を形成し、前記第二収容設置体はさらに、側部と施圧区を備え、半凝固食品は、前記第一、第二収容設置体が形成する収容設置空間中に充填されることを特徴とする半凝固食品用容器の蓋体構造。
【請求項８】
前記押し出し蓋は、係合方式により、前記第一収容設置体の凸部上に結合されることを特徴とする請求項７に記載の半凝固食品用容器の蓋体構造。
【請求項９】
前記押し出し蓋の欠口の外観は、星型を呈することを特徴とする請求項７に記載の半凝固食品用容器の蓋体構造。
【請求項１０】
前記第一収容設置体は、一体成型であることを特徴とする請求項７に記載の半凝固食品用容器の蓋体構造。
【請求項１１】
前記第二収容設置体は、一体成型であることを特徴とする請求項７に記載の半凝固食品用容器の蓋体構造。
【請求項１２】
前記施圧部は、圧迫器に応力を加えることができ、これにより前記第二収容設置体は、前記第一収容設置体方向へと圧縮されることを特徴とする請求項７に記載の半凝固食品用容器の蓋体構造。
【考案の詳細な説明】
【技術分野】
【０００１】
本考案は食品用容器に関し、特に半凝固食品用容器の蓋体構造に関する。
【背景技術】
【０００２】
灼熱の夏、アイスクリームは消費者に最も喜ばれる食品の一つであろう。現在一般的なアイスクリームの販売方式は、製造したアイスクリームをカップなどの容器中に入れ、冷凍庫に保存するものである。消費者がアイスクリームを食べたくなると、カップ状容器を取り出し、アイスクリーム販売機上に置く。次に、アイスクリーム販売機により、カップ状容器内のアイスクリームを搾り出し、消費者に提供する。
【０００３】
特許文献１のアイスクリーム用容器の立体分解概略図である図１、図１に示すアイスクリーム用容器の立体結合概略図である図２、図２に示すアイスクリーム用容器の側面断面図である図３に示すように、従来のアイスクリーム用容器１００は、容器本体１１０、蓋体１２０を備える。蓋体１２０は、容器本体１１０上に嵌合する。蓋体１２０と容器本体１１０が結合後に形成する空間には、アイスクリームを貯蔵する。容器本体１１０底には、星型欠口１１２を開設し、蓋体１２０を下方へと圧迫すると、アイスクリームは、星型欠口１１２から押し出され、消費者に提供される。
【０００４】
容器本体１１０は、嵌合凸部１１４を備え、蓋体１２０は、嵌合凸部１１４に対応する嵌合凹部１２２を備える。嵌合凸部１１４と嵌合凹部１２２を結合することにより、蓋体１２０は容器本体１１０上に嵌合される。蓋体１２０は、容器本体１１０上に嵌合されているだけであるため、蓋体１２０が推進力Ｆ１の圧迫を受け変形すると、嵌合凹部１２２は、変形を生じ、嵌合凸部１１４との間に隙間を形成する。これにより、アイスクリームは、該隙間から漏れ出し、アイスクリームの浪費であるばかりか、消費者にアイスクリーム用容器１００の品質に対する悪い印象を与えてしまう。
【０００５】
さらに該構造では、アイスクリーム用容器１００を設置台５０に置いた後に押し出しを行なうため、設置台５０は、星型欠口１１２に対応する開口部５２を備える。設置台５０上には容器本体１１０下縁を直接載せるため、アイスクリームが星型欠口１１２から押し出される時、アイスクリームは、容器本体１１０下縁に沿って、設置台５０に向かい外へと流動し易い。これでは、係員は設置台５０を常に拭き清潔を保つ必要があり、非常に面倒である。
【先行技術文献】
【特許文献】
【０００６】
【特許文献１】台湾特許公示第２９９９９１号明細書
【考案の概要】
【考案が解決しようとする課題】
【０００７】
本考案が解決しようとする課題は、第一収容設置体は開口部を設置し、開口部内側には係合部を設置し、係合部は押し出し片をちょうど収容設置し、押し出し片中には欠口を設置し、欠口は半凝固食品の導出を提供することができ、押し出し片の設置により、第一収容設置体の厚みを効果的に減少させ、第一収容設置体が受ける応力を減少させ、もともとは第一収容設置体が受けていた応力を、設置台上にシフトし、こうして従来の構造と相同の機能を達成し、同時に製造コストと加工コストを低下させる目的を達成することができる半凝固食品用容器の蓋体構造を提供することである。
【課題を解決するための手段】
【０００８】
上記課題を解決するため、本考案は下記の半凝固食品用容器の蓋体構造を提供する。半凝固食品用容器の蓋体構造は、設置台上に固定可能で、半凝固食品用容器は、第一収容設置体と第二収容設置体を備え、該第一収容設置体中央には、スプロケットホールにより、封鎖膜を防塵用に区画し、その内側には押し出し片をちょうど収容設置し、該封鎖膜を剥がして取り除いた後には開口部を形成し、該押し出し片が設置する欠口は、半凝固食品の導出を提供することができ、しかも該第一収容設置体外縁には、サポート部を形成し、該サポート部の表面と該設置台とは位置が対応し、一時的な固定構造を形成し、該第二収容設置体は、該第一収容設置体上に配置し、嵌合部と該第一収容設置体のサポート部底側との嵌合を利用し、収容設置空間を形成し、該第二収容設置体はさらに、側部と施圧区を備え、半凝固食品は、該第一、第二収容設置体が形成する収容設置空間中に充填され、半凝固食品用容器の蓋体構造は、設置台上に固定可能で、半凝固食品用容器は、第一収容設置体と第二収容設置体を備え、該第一収容設置体は、その凸部中央に、スプロケットホールにより、封鎖膜を防塵用に区画し、該封鎖膜を剥がして取り除いた後に開口部を形成し、該凸部外側には押し出し蓋をちょうど収容設置可能で、該押し出し蓋が設置する欠口は、半凝固食品の導出を提供することができ、しかも該第一収容設置体外縁には、サポート部を形成し、該サポート部の表面と該設置台とは位置が対応し、一時的な固定構造を形成し、該第二収容設置体は、該第一収容設置体上に配置し、嵌合部と該第一収容設置体のサポート部底側との嵌合を利用し、収容設置空間を形成し、該第二収容設置体はさらに、側部と施圧区を備え、半凝固食品は、該第一、第二収容設置体が形成する収容設置空間中に充填される。
【考案の効果】
【０００９】
本考案は、押し出し片の設置により、第一収容設置体の厚みを効果的に減少させ、第一収容設置体が受ける応力を減少させ、もともとは第一収容設置体が受けていた応力を、設置台上にシフトし、こうして従来の構造と相同の機能を達成し、同時に製造コストと加工コストを低下させる目的を達成することができる。
【図面の簡単な説明】
【００１０】
【図１】従来のアイスクリーム用容器の立体分解概略図である。
【図２】図１に示すアイスクリーム用容器の立体結合概略図である。
【図３】図２に示すアイスクリーム用容器の側面断面図である。
【図４】本考案第一実施例による半凝固食品用容器の構造を示す立体分解概略図である。
【図５】図４に示す本考案第一実施例による半凝固食品用容器を結合後の構造を示す立体図である。
【図６】図５に示す本考案第一実施例による半凝固食品用容器において、封鎖膜を剥がし、押し出し片を露出させた構造を示す概略図である。
【図７】図５の断面構造概略図である。
【図８】本考案第一実施例による半凝固食品用容器において、第一収容設置体の係合部に押し出し片を係合する様子を示す構造概略図である。
【図９】本考案第二実施例による半凝固食品用容器の構造を示す立体分解概略図である。
【図１０】図９に示す本考案第二実施例による半凝固食品用容器を結合後の構造を示す断面概略図である。
【考案を実施するための形態】
【００１１】
以下に図面を参照しながら本考案を実施するための最良の形態について詳細に説明する。
【００１２】
図４、５、６、７、８に示すように、本考案半凝固食品用容器は、第一収容設置体２、第二収容設置体３を備える。第二収容設置体３は、第一収容設置体２上に配置し、第一収容設置体２と第二収容設置体３が結合後に形成する空間に、半凝固食品を貯蔵する。第一収容設置体２には、開口部２３を設置し、開口部２３内側には押し出し片２２をちょうど収容設置する。押し出し片２２が設置する欠口２２１は、半凝固食品の導出を提供することができる。押し出し片２２は、係合方式で、第一収容設置体２の欠口２２１内側の係合部２５に押し込まれる。欠口２２１は、任意の幾何学形状(本実施例では、星型)とすることができ、押し出し片２２と開口部２３外部には、さらに封鎖膜２４を設置し、防塵用とする。封鎖膜２４は、第一収容設置体２に一体成型とし、剥がして開ける時の便のため、スプロケットホール(図示なし)を設置する。しかも第一収容設置体２外縁には、サポート部２１を形成する。サポート部２１の表面は、設置台４と位置が対応し、一時的な固定構造を形成する。第二収容設置体３の側部３１先端に延伸する嵌合部３３と、第一収容設置体２のサポート部２１底側との嵌合により、収容設置空間を形成する。第二収容設置体３は、施圧部３２を備え、半凝固食品が第一、二収容設置体２、３により形成された収容設置空間中に充填され、封鎖膜２４を剥がして取り除くと、第一収容設置体２と第二収容設置体３が貯蔵する半凝固食品を、押し出し片２２の欠口２２１から、半凝固食品用容器の外部へと押し出す。本考案は、サポート部２１上に、押し出し片２２を設置するため、押し出し片２２の設置は、第一収容設置体２の応力の大部分を受け止めることができ、その応力を設置台４上に転嫁することができる。これにより、従来の構造と相同の機能を達成し、第一収容設置体２全体の厚みは、大幅に縮小され、製造コスト低下の目的をも達成することができる。
【００１３】
第一収容設置体２は、一体成型の構造で、すなわち、真空或いはプレス成型の方式で製造し、第二収容設置体３も一体成型の構造とする。但し、本考案の第一収容設置体２、第二収容設置体３の製造方式はこれに限定するものではなく、射出成型或いは他の適した方式で製造することができる。
【００１４】
本考案半凝固食品用容器の第二実施例の構造を示す立体分解概略図である図９、１０に示すように、本実施例と上記した第一実施例との相違点は、第一収容設置体２の開口部２３内側に設置する押し出し片２２を、押し出し蓋２６に置換する点である。押し出し蓋２６はやはり、欠口２６１を備え、第一収容設置体２上に結合し、押し出し片２２と相同の構造を達成する。さらに、第一実施例中では、半凝固食品が未充填である時には、押し出し片２２は第一収容設置体２内に嵌合されているが、第二実施例では、半凝固食品を押し出す前に、封鎖膜２４を剥がして取り除いた後に、初めて押し出し蓋２６を嵌めることができる。
【００１５】
半凝固食品容器内の半凝固食品を押し出そうとする時には、先ず半凝固食品用容器を設置台４上に置くと、設置台４の開口部４１区域は、押し出し片２２或いは押し出し蓋２６の範囲に対応し、押し出し片２２或いは押し出し蓋２６は、設置台４上に支えられる。こうして、アイスクリームが押し出し片２２或いは押し出し蓋２６から流出しても、設置台４上に流れ出し、設置台４上を汚すことはなく、これにより設置台４を清潔に保つことができる。
【００１６】
本考案は半凝固食品用容器の第一収容設置体２の押し出し区上に開口部２３を設置し、開口部２３内側にはさらに係合部２５を設置し、係合部２５には押し出し片２２をちょうど係合することができる。押し出し片２２中には欠口２２１を設置し、欠口２２１は半凝固食品を導出することができる。押し出し片２２の設置により、第一収容設置体２の厚みを効果的に減少させ、第一収容設置体２が受ける応力を減少させ、もともとは第一収容設置体２が受けていた応力を、設置台４上にシフトし、こうして従来の構造と相同の機能を達成し、同時に製造コストと加工コストを低下させる目的を達成することができる。
【符号の説明】
【００１７】
１００  アイスクリーム用容器
１１０  容器本体
１１２  星型欠口
１１４  嵌合凸部
１２０  蓋体
１２２  嵌合凹部
２      第一収容設置体
２１    サポート部
２２    押し出し片
２２１  欠口
２３    開口部
２４    封鎖膜
２５    係合部
２６    押し出し蓋
２６１  欠口
２７    凸部
３      第二収容設置体
３１    側部
３２    施圧部
３３    嵌合部
４      設置台
４１    開口部
５      圧迫器
【図１】
0003156909.tif 000003
【図２】
0003156909.tif 000004
【図３】
0003156909.tif 000005
【図４】
0003156909.tif 000006
【図５】
0003156909.tif 000007
【図６】
0003156909.tif 000008
【図７】
0003156909.tif 000009
【図８】
0003156909.tif 000010
【図９】
0003156909.tif 000011
【図１０】
0003156909.tif 000012
【手続補正書】
【提出日】平成21年7月29日(2009.7.29)
【手続補正１】
【補正対象書類名】明細書
【補正対象項目名】０００８
【補正方法】変更
【補正の内容】
【０００８】
上記課題を解決するため、本考案は下記の半凝固食品用容器の蓋体構造を提供する。半凝固食品用容器の蓋体構造は、設置台上に固定可能で、半凝固食品用容器は、第一収容設置体と第二収容設置体を備え、該第一収容設置体中央には、スプロケットホールにより、封鎖膜を防塵用に区画し、その内側には押し出し片をちょうど収容設置し、該封鎖膜を剥がして取り除いた後には開口部を形成し、該押し出し片が設置する欠口は、半凝固食品の導出を提供することができ、しかも該第一収容設置体外縁には、サポート部を形成し、該サポート部の表面と該設置台とは位置が対応し、一時的な固定構造を形成し、該第二収容設置体は、該第一収容設置体上に配置し、嵌合部と該第一収容設置体のサポート部底側との嵌合を利用し、収容設置空間を形成し、該第二収容設置体はさらに、側部と施圧部を備え、半凝固食品は、該第一、第二収容設置体が形成する収容設置空間中に充填され、半凝固食品用容器の蓋体構造は、設置台上に固定可能で、半凝固食品用容器は、第一収容設置体と第二収容設置体を備え、該第一収容設置体は、その中央に、スプロケットホールにより、封鎖膜を防塵用に区画し、該封鎖膜を剥がして取り除いた後に開口部を形成し、前記開口部は押し出し蓋をちょうど収容設置可能で、該押し出し蓋が設置する欠口は、半凝固食品の導出を提供することができ、しかも該第一収容設置体外縁には、サポート部を形成し、該サポート部の表面と該設置台とは位置が対応し、一時的な固定構造を形成し、該第二収容設置体は、該第一収容設置体上に配置し、嵌合部と該第一収容設置体のサポート部底側との嵌合を利用し、収容設置空間を形成し、該第二収容設置体はさらに、側部と施圧部を備え、半凝固食品は、該第一、第二収容設置体が形成する収容設置空間中に充填される。
【手続補正２】
【補正対象書類名】実用新案登録請求の範囲
【補正対象項目名】請求項１
【補正方法】変更
【補正の内容】
【請求項１】
半凝固食品用容器の蓋体構造は、設置台上に固定可能で、半凝固食品用容器は、第一収容設置体と第二収容設置体を備え、
前記第一収容設置体中央には、スプロケットホールにより、封鎖膜を防塵用に区画し、その内側には押し出し片をちょうど収容設置し、前記封鎖膜を剥がして取り除いた後には開口部を形成し、前記押し出し片が設置する欠口は、半凝固食品の導出を提供することができ、しかも前記第一収容設置体外縁には、サポート部を形成し、前記サポート部の表面と前記設置台とは位置が対応し、一時的な固定構造を形成し、
前記第二収容設置体は、前記第一収容設置体上に配置し、嵌合部と前記第一収容設置体のサポート部底側との嵌合を利用し、収容設置空間を形成し、前記第二収容設置体はさらに、側部と施圧部を備え、半凝固食品は、前記第一、第二収容設置体が形成する収容設置空間中に充填されることを特徴とする半凝固食品用容器の蓋体構造。
【手続補正３】
【補正対象書類名】実用新案登録請求の範囲
【補正対象項目名】請求項７
【補正方法】変更
【補正の内容】
【請求項７】
半凝固食品用容器の蓋体構造は、設置台上に固定可能で、半凝固食品用容器は、第一収容設置体と第二収容設置体を備え、
前記第一収容設置体は、その中央に、スプロケットホールにより、封鎖膜を防塵用に区画し、前記封鎖膜を剥がして取り除いた後に開口部を形成し、前記開口部は押し出し蓋をちょうど収容設置可能で、前記押し出し蓋が設置する欠口は、半凝固食品の導出を提供することができ、しかも前記第一収容設置体外縁には、サポート部を形成し、前記サポート部の表面と前記設置台とは位置が対応し、一時的な固定構造を形成し、
前記第二収容設置体は、前記第一収容設置体上に配置し、嵌合部と前記第一収容設置体のサポート部底側との嵌合を利用し、収容設置空間を形成し、前記第二収容設置体はさらに、側部と施圧部を備え、半凝固食品は、前記第一、第二収容設置体が形成する収容設置空間中に充填されることを特徴とする半凝固食品用容器の蓋体構造。
【手続補正４】
【補正対象書類名】実用新案登録請求の範囲
【補正対象項目名】請求項８
【補正方法】変更
【補正の内容】
【請求項８】
前記押し出し蓋は、係合方式により、前記第一収容設置体の係合部上に結合されることを特徴とする請求項７に記載の半凝固食品用容器の蓋体構造。
【手続補正書】
【提出日】平成21年11月19日(2009.11.19)
【手続補正１】
【補正対象書類名】実用新案登録請求の範囲
【補正対象項目名】全文
【補正方法】変更
【補正の内容】
【実用新案登録請求の範囲】
【請求項１】
半凝固食品用容器の蓋体構造は、設置台上に固定可能で、半凝固食品用容器は、第一収容設置体と第二収容設置体を備え、
前記第一収容設置体中央には、スプロケットホールにより、封鎖膜を防塵用に区画し、その内側には押し出し片をちょうど収容設置し、前記封鎖膜を剥がして取り除いた後には開口部を形成し、前記押し出し片が設置する欠口は、半凝固食品の導出を提供することができ、しかも前記第一収容設置体外縁には、サポート部を形成し、前記サポート部の表面と前記設置台とは位置が対応し、一時的な固定構造を形成し、
前記第二収容設置体は、前記第一収容設置体上に配置し、嵌合部と前記第一収容設置体のサポート部底側との嵌合を利用し、収容設置空間を形成し、前記第二収容設置体はさらに、側部と施圧部を備え、半凝固食品は、前記第一、第二収容設置体が形成する収容設置空間中に充填されることを特徴とする半凝固食品用容器の蓋体構造。
【請求項２】
前記押し出し片は、係合方式により、前記第一収容設置体の欠口内側の係合部に押し入れられることを特徴とする請求項１に記載の半凝固食品用容器の蓋体構造。
【請求項３】
前記押し出し片の欠口の外観は、星型を呈することを特徴とする請求項１に記載の半凝固食品用容器の蓋体構造。
【請求項４】
前記第一収容設置体は、一体成型であることを特徴とする請求項１に記載の半凝固食品用容器の蓋体構造。
【請求項５】
前記第二収容設置体は、一体成型であることを特徴とする請求項１に記載の半凝固食品用容器の蓋体構造。
【請求項６】
前記施圧部は、圧迫器に応力を加えることができ、これにより前記第二収容設置体は、前記第一収容設置体方向へと圧縮されることを特徴とする請求項１に記載の半凝固食品用容器の蓋体構造。
【請求項７】
半凝固食品用容器の蓋体構造は、設置台上に固定可能で、半凝固食品用容器は、第一収容設置体と第二収容設置体を備え、
前記第一収容設置体は、その中央に、スプロケットホールにより、封鎖膜を防塵用に区画し、前記封鎖膜を剥がして取り除いた後に開口部を形成し、前記開口部は押し出し蓋をちょうど収容設置可能で、前記押し出し蓋が設置する欠口は、半凝固食品の導出を提供することができ、しかも前記第一収容設置体外縁には、サポート部を形成し、前記サポート部の表面と前記設置台とは位置が対応し、一時的な固定構造を形成し、
前記第二収容設置体は、前記第一収容設置体上に配置し、嵌合部と前記第一収容設置体のサポート部底側との嵌合を利用し、収容設置空間を形成し、前記第二収容設置体はさらに、側部と施圧部を備え、半凝固食品は、前記第一、第二収容設置体が形成する収容設置空間中に充填されることを特徴とする半凝固食品用容器の蓋体構造。
【請求項８】
前記押し出し蓋の欠口の外観は、星型を呈することを特徴とする請求項７に記載の半凝固食品用容器の蓋体構造。
【請求項９】
前記第一収容設置体は、一体成型であることを特徴とする請求項７に記載の半凝固食品用容器の蓋体構造。
【請求項１０】
前記第二収容設置体は、一体成型であることを特徴とする請求項７に記載の半凝固食品用容器の蓋体構造。
【請求項１１】
前記施圧部は、圧迫器に応力を加えることができ、これにより前記第二収容設置体は、前記第一収容設置体方向へと圧縮されることを特徴とする請求項７に記載の半凝固食品用容器の蓋体構造。